(57)【要約】【課題】片手でトイレットペーパーを引き出して切り取ることができるとともに、トイレットペーパーの引き出し操作が容易なトイレットペーパーホルダーを提供すること。【解決手段】一対の側板３，４間に設けた支持軸７に対して回動自在にトイレットペーパーＰが装着されており、このトイレットペーパーＰの上方から前方にかけてカバー板１７が配設されている。カバー板１７の前端には扁平通路２２が配設され、扁平通路２２の前方位置には側板３，４間に懸架された橋梁部材２５が配設されている。橋梁部材２５の前縁裏面にはカッタ２８が配設されている。このような構成では引き出されたペーパーＰの前端は扁平通路２２内の接触抵抗等で引き出しにくくなるため片手で操作できる。そしてカッタ２８でペーパーＰを切断すると末端が常に扁平通路２２から下垂されるため次に使用する際にこれをつまんで引き出すことができる。【選択図】      図２
0003117656.tif 000002
【実用新案登録請求の範囲】
【請求項１】
左右一対の側板間に設けた軸に対して回動自在にトイレットペーパーが装着され、同トイレットペーパーの上部位置に配置され同トイレットペーパーの上方から前方にかけてこれを被覆するカバー板を備えたトイレットペーパーホルダーにおいて、
前記カバー板裏面には前記トイレットペーパーがその繰り出された前端側から挿通される扁平通路を形成するとともに、同カバー板の前方位置には左右方向に架設された橋梁部材を配置し、同橋梁部材の前縁にカッタを形成したことを特徴とするトイレットペーパーホルダー。
【請求項２】
左右一対の側板間に設けた軸に対して回動自在にトイレットペーパーが装着され、同トイレットペーパーの上部位置に配置され同トイレットペーパーの上方から前方にかけてこれを被覆するカバー板を備えたトイレットペーパーホルダーにおいて、
前記カバー板の前方位置には左右方向に架設された橋梁部材を配置し、同橋梁部材の前縁にカッタを形成するとともに、同カバー板の前端にはトイレットペーパーと干渉して同トイレットペーパーの引き出しを妨害する干渉部材を形成したことを特徴とするトイレットペーパーホルダー。
【請求項３】
前記干渉部材はトイレットペーパーに食い込む突起体であることを特徴とする請求項２に記載のトイレットペーパーホルダー。
【請求項４】
前記干渉部材はトイレットペーパーとの接触抵抗の高いブレーキ体であることを特徴とする請求項２に記載のトイレットペーパーホルダー。
【請求項５】
前記カバー板はトイレットペーパーの外周に対応して湾曲形成され、その前端側が下垂されるとともに、前記橋梁部材は同カバー板の前端よりも上部位置に配置されていることを特徴とする請求項１〜４のいずれかに記載のトイレットペーパーホルダー。
【請求項６】
前記橋梁部材と前記カバー板との間には上下方向に連通する窓部が形成されていることを特徴とする請求項１〜５のいずれかに記載のトイレットペーパーホルダー。
【請求項７】
前記橋梁部材は前記カバー板と一体的に形成されるとともに、同橋梁部材の左右端は前記側板の内側面に形成された保持手段によって保持されていることを特徴とする請求項１〜６のいずれかに記載のトイレットペーパーホルダー。
【請求項８】
前記保持手段は長尺に構成され、前記橋梁部材の左右端と線状に接することを特徴とする請求項７に記載のトイレットペーパーホルダー。
【考案の詳細な説明】
【技術分野】
【０００１】
本考案は、片手でトイレットペーパーを引き出して切り取ることのできるトイレットペーパーホルダーに関するものである。
【背景技術】
【０００２】
一般にトイレで使用されるトイレットペーパーホルダーは左右一対の側板間に設けた軸に対してトイレットペーパーが回動自在に装着され、トイレットペーパーの上部にカバー板が配置される構成である。カバー板はカッタを兼ねている。そして、トイレットペーパーを引き出して切り取る際には所定長さトイレットペーパーを引き出した段階でカバー板を片方の手で押さえ、もう片方の手で上方に引っ張りながらカバー板前端を利用して切り取るという所作を行う。
このように所定長さのトイレットペーパーを切り取るためには両手で操作をするのが基本であるが、両手を必要とすることから使い辛く従来より片手で操作してトイレットペーパーを切り取ることができるトイレットペーパーホルダーが望まれていた。
そのため、例えば特許文献１のようにカバー板３の前縁部分に挿通引き出し部５を形成し、その挿通引き出し部５内にトイレットペーパーを挿通させ、挿通引き出し部５内でのペーパーの通過に伴う抵抗によってトイレットペーパーが簡単に繰り出されないようにすることで片手でトイレットペーパーの切り取りができるようにしたものが提案されている。
【特許文献１】特開平１０−２７６９３０号公報
【考案の開示】
【考案が解決しようとする課題】
【０００３】
この特許文献１の技術では切り取った後のトイレットペーパーの前端が挿通引き出し部５内に残ってしまう。そのため、トイレットペーパーの前端をつまんで引き出せるように挿通引き出し部５の出口の上側縁先端に切り欠き部６を形成するようにしている。この切り欠き部６位置にトイレットペーパーが露出するために、露出した部分を押さえながらトイレットペーパーの前端を手前に若干引き出し、前端が挿通引き出し部５の出口から空中に進出したところで指でつまんで引き出すようにしているわけである。
ところが、このような構成では次のような課題が生じてしまう。
１）トイレットペーパーは挿通引き出し部５の作用で引き出しにくくなっているため、使用者が切り欠き部６に露出したトイレットペーパーを押さながら手前側に引いても滑ってしまってなかなかトイレットペーパーの前端を進出させることができない。また、トイレットペーパーを切り取る度にこのような操作を何度も行うのは非常に面倒である。
２）押さえる替わりに 特許文献１の切り欠き部６を大きく形成し、露出したトイレットペーパーを左右方向からつまんで重ね合わせ取っ手のようにこの部分を持って引き出すことも考えられる。しかしこのような構成とした場合には、その引き出しに伴って挿通引き出し部５内部でトイレットペーパーが折れて重なってしまい、整然とトイレットペーパーを引き出すことができなくなることがある。
３）切り欠き部６は使用者に目視させるために挿通引き出し部５の出口の上側縁先端に形成されており、トイレットペーパーを切り取る切断歯７は挿通引き出し部５の出口の下側縁に形成されている。そのため、この特許文献１のトイレットペーパーホルダーでは使用者は引き出したトイレットペーパーを切断歯７に下方に押しながら切り取っていくこととなる。一般に、トイレットペーパーは上方に引っ張りながら切り取っていく（より詳しくいえば上方に引っ張りながらペーパーの左右いずれかの端部から徐々に切り取っていく）のでこのように下方に押しながら切り取っていくのは違和感を感じ非常に使いにくい。
４）特許文献１を設計変更して挿通引き出し部５の出口の上側縁先端に切断歯７を配設するようにしても切り欠き部６位置にだけは切断歯７を配置することはできない。そのため、そのように変更してトイレットペーパーを上方に引っ張りながら切り取っていくようにしても結局切り欠き部６位置でトイレットペーパーを切り取れない状況となり、それが原因で再度ペーパーが引き出されてしまうことがあった。
これらの課題から特許文献１及びそれに類するトイレットペーパーホルダーでは結局両手で操作しなければならなくなることが多く、実際に片手での操作が可能なトイレットペーパーホルダーが望まれていた。
本考案は、このような従来の技術に存在する問題点に着目してなされたものである。その目的とするところは、片手でトイレットペーパーを引き出して切り取ることができるとともに、トイレットペーパーの引き出し操作が容易なトイレットペーパーホルダーを提供することにある。
【課題を解決するための手段】
【０００４】
上記の目的を達成するための第１の手段として、一対の側板間に設けた軸に対して回動自在にトイレットペーパーが装着され、同トイレットペーパーの上部位置に配置され同トイレットペーパーの上方から前方にかけてこれを被覆するカバー板を備えたトイレットペーパーホルダーにおいて、前記カバー板裏面には前記トイレットペーパーがその繰り出された前端側から挿通される扁平通路を形成するとともに、同カバー板の前方位置には左右方向に架設された橋梁部材を配置し、同橋梁部材の前縁にカッタを形成するようにしている。
このような構成では、トイレットペーパーの繰り出された前端はカバー板の裏面の扁平通路を通って前方に延出されカバー板の前端から下垂される。
そして、使用時に使用者がこの下垂された部分をつかんでトイレットペーパーを引き出すとトイレットペーパーは扁平通路を通過する際に若干の抵抗が生まれることとなる。所定長さが引き出されると、カバー板の前方位置に架設された橋梁部材の前縁のカッタによって手前側に引きながらこれを切り取る。すると、切り取った後のトイレットペーパーの前端はカバー板の前端と橋梁部材との間隔の長さ分だけ切り取られずに残ってカバー板の前端から下垂される。
このような構成では、このトイレットペーパーホルダーではトイレットペーパーをカバー体で押さえていなくともトイレットペーパーが引き出されてしまうことがないのでトイレットペーパーを片手で切り取ることが可能となる。そして常に次に引き出すための手がかりとなるトイレットペーパーの前端がカバー板から下垂されることとなるため、これをつまんで常に上方に引っ張りながらトイレットペーパーの切り取りを行うことが可能となる。また、カッタを橋梁部材の前縁の全域に形成することが可能となる。
【０００５】
第２の手段では、一対の側板間に設けた軸に対して回動自在にトイレットペーパーが装着され、同トイレットペーパーの上部位置に配置され同トイレットペーパーの上方から前方にかけてこれを被覆するカバー板を備えたトイレットペーパーホルダーにおいて、前記カバー板の前方位置には左右方向に架設された橋梁部材を配置し、同橋梁部材の前縁にカッタを形成するとともに、同カバー板の前端にはトイレットペーパーと干渉して同トイレットペーパーの引き出しを妨害する干渉部材を形成するようにしている。
このような構成では、トイレットペーパーの繰り出された前端はカバー板の背面に下垂して配置される。
そして、使用時に使用者がこの下垂された部分をつかんでトイレットペーパーを引き出し、引き出した後に持ち手部分を手前側に移動させる。するとトイレットペーパーはカバー板の前端を基部として橋梁部材方向に方向転換することとなり、カバー板の前端の干渉部材と干渉する。干渉することによってトイレットペーパーはそれ以上引き出されることがなくなる。この状態でカバー板の前方位置に架設された橋梁部材の前縁のカッタによって手前側に引きながらこれを切り取る。すると、切り取った後のトイレットペーパーの前端はカバー板の前端と橋梁部材との間隔の長さ分だけ切り取られずに残ってカバー板の前端から下垂される。
このような構成では、このトイレットペーパーホルダーではトイレットペーパーをカバー体で押さえていなくともトイレットペーパーが引き出されてしまうことがないのでトイレットペーパーを片手で切り取ることが可能となる。そして常に次に引き出すための手がかりとなるトイレットペーパーの前端がカバー板から下垂されることとなるため、これをつまんで常に上方に引っ張りながらトイレットペーパーの切り取りを行うことが可能となる。また、カッタを橋梁部材の前縁の全域に形成することが可能となる。
【０００６】
第３の手段では第２の手段に加え、前記干渉部材をトイレットペーパーに食い込む突起体としている。このように食い込むことでトイレットペーパーの引き出しが不能となる。突起体とは針状、尖塔状、歯列状等の例が挙げられる。
第４の手段では第２の手段に加え、前記干渉部材をトイレットペーパーとの接触抵抗の高いブレーキ体としている。このように接触抵抗が高くなることでトイレットペーパーの引き出しが不能となる。ブレーキ体としては例えば合成ゴム製の長尺の紐状部材をカバー板の前端縁に沿って配設したり、合成ゴム製のストッパをカバー板の前端縁に沿って間隔を開けて配設したりすること等が挙げられる。
【０００７】
第５の手段では第１〜４のいずれかの手段に加え、前記カバー板はトイレットペーパーの外周に対応して湾曲形成され、その前端側が下垂されるとともに、前記橋梁部材は同カバー板の前端よりも上部位置に配置されるようにしている。
このような構成では、使用者によって引き出されたトイレットペーパーはカバー板は前端を基部として急角度で上方に向かって折り曲げられて橋梁部材方向に導かれる。そのため、トイレットペーパーはカバー板は前端での接触抵抗が大きくなって非常に引き出しにくくなる。つまり、扁平通路からトイレットペーパーを引き出す際には比較的引き出しやすく接触抵抗の少ないように構成でき、一方で切り取るためにトイレットペーパーを引っ張っても繰り出されにくくなっている。
【０００８】
第６の手段では第１〜５のいずれかの手段に加え、前記橋梁部材と前記カバー板との間には上下方向に連通する窓部が形成されるようにしている。
通常トイレットペーパーホルダーは目線よりも下側、つまり見下ろすようにトイレの壁際に設置されるものであるが、見下ろした場合に窓部を通してカバー板後方で下垂するトイレットペーパーの前端が目視できるので使用に際して戸惑うことがなくなる。
【０００９】
第７の手段では第１〜６のいずれかの手段に加え、前記橋梁部材は前記カバー板と一体的に形成されるとともに、同橋梁部材の左右端は前記側板の内側面に形成された保持手段によって保持されるようにしている。
橋梁部材をカバー板と一体的に形成すると部材点数が減少し、取り付け作業も軽減されるもののカバー板は回動基部を中心に回動するためカバー板が回動すると橋梁部材も一緒に回動してしまうこととなる。そこで、橋梁部材の左右端を側板の内側面に形成された保持手段によって保持させるようにするものである。これによって橋梁部材は所定の固定位置に配設されることとなって、トイレットペーパーの切り取り動作時に不用意に動くことがない。この際にカバー板も橋梁部材と一緒に固定されるため、トイレットペーパーが使用されてその径が小さくなるにつれてカバー板とトイレットペーパーとの距離は離間することとなる。また、カバー板を回動させるためには橋梁部材と保持手段との係合関係を解除する必要がある。
尚、第７の手段の裏返しとして、第１から第６の手段においては基本的には橋梁部材とカバー板とは一体的に形成してもしなくとも構わないものである。
第８の手段では第７の手段に加え、前記保持手段は長尺に構成され、前記橋梁部材の左右端と線状に接するようにしている。これによって架設される橋梁部材を安定して保持することが可能となる。
【考案の効果】
【００１０】
上記各請求項の考案では、トイレットペーパーをカバー体で押さえていなくともトイレットペーパーが引き出されてしまうことがないのでトイレットペーパーを片手で切り取ることが可能である。また、カバー体の前方にトイレットペーパーを切り取るための橋梁部材を配置したため、常に次に引き出すための手がかりとなるトイレットペーパーの前端がカバー板背面から下垂されることとなりトイレットペーパーの前端がつまみやすく使用勝手のよいトイレットペーパーホルダーを提供することが可能となっている。
【考案を実施するための最良の形態】
【００１１】
以下、本考案のトイレットペーパーホルダーを具体化した実施の形態を図面に基づいて説明する。以下の説明において前方とはトイレットペーパーが引き出される方向（例えば図３における左方）を言うものとする。左右とは前方から目視した左右方向を言うものとする。
図１及び図２に示すように、本実施の形態のトイレットペーパーホルダー１では長方形形状の背板２と、同背板２の左右両端から同背板２に対して直交して前方に向かって延出された左右一対の長方形形状の側板３，４によって平面視コ字状の本体５が構成されている。図２に示すように、右側板３は背板２に対して上下一対のヒンジ金具６によって取着され開閉可能とされている。左側板４は背板２に開閉不能に固着されている。
【００１２】
左側板４の内面にはトイレットペーパーＰが回動自在に支持された支持軸７が右側板３方向に向かって片持ち状に突設されている。支持軸７は図５に示すように、内部が中空とされ右側板３寄りに雌ネジ８が配設されている。支持軸７の先端寄りにはリング体８が装着されている。右側板３の内面には支持軸７の先端寄りには支持軸７に嵌合されるキャップ１０が固着されている。キャップ１０の中央位置には同キャップ１０と右側板３の当該位置において内外に連通する透孔１１が形成されている。
図１、図４及び図５に示すように、支持軸７先端にキャップ９が嵌合されキャップ９前端がリング体に当接した状態において右側板３の外面から透孔１１を通して固定ネジ１３の雄ネジ部１４が挿通され雌ネジ８に螺合されている。
このように固定ネジ１３を支持軸７側に螺着することによって支持軸７は左右の側板３，４に保持されることとなる。新しいトイレットペーパーＰに取り替える場合には固定ネジ１３を緩め、図２のように右側板３を開放させてその作業を行う。
図１〜図３に示すように、左右側板３，４の内面であって前方下方位置には上下二本からなる保持手段としての第１及び第２の保持ブロック１５，１６が対向位置にそれぞれ配設されている。各側板３，４の両保持ブロック１５，１６は長尺の直方体形状をなし、上下方向にわずかな隙間を空けて若干前下がりとなるように配置されている。
【００１３】
背板２の前方位置であって、トイレットペーパーＰの上方及び前方を覆う位置にはカバー体１７が配設されている。カバー体１７は背板２の上縁から前方に向かって延出されると同時に湾曲しながら下垂される幅広帯状の板体から構成されている。カバー体１７の上縁左右位置にはそれぞれ左右方向に突起する係合ピン１８が固着され、背板２側に固着された係合枠１９に遊嵌されている。その結果、カバー体１７は上縁を基部として回動可能とされている。
カバー体１７の下端寄りは中央寄り部分を残して先端側及び左右側の三方が枠取りされ基部を中心に上方側に所定角度で折り曲げられている。中央寄り部分を延設部２０とし、折り曲げ部分を切断部２１とする。つまり、延設部２０はカバー体１７の一部としてその前端寄りで下垂され、切断部２１はカバー体１７と一体成形されているもののカバー体１７の前方に配置される別機能を有する別部材とされている。図３及び図４に示すように、延設部２０はトイレットペーパーＰの横幅よりも若干幅広に構成された帯状体とされている。延設部２０の裏面には補助板２３が配設されている。延設部２０は前面板（つまりカバー体１７の下部）と補助板２３との二重構造とされており両者間には扁平通路２２が形成されている。扁平通路２２には後方側開口部２２ａからトイレットペーパーＰの繰り出された前端側が挿入され、通路２２内壁に接触しながらその前端側は前方側開口部２２ｂから下垂して露出される。扁平通路２２はトイレットペーパーＰがようやくすり抜けられる程度の非常に狭い隙間とされている（尚、本実施の形態の図示においては便宜的に通路の隙間を実際よりも大きく描いている）。
【００１４】
切断部２１は左右一対の保持部２４と両保持部２４を連結する橋梁部２５から構成されている。橋梁部２５とカバー体１７との間は上下方向に連通する窓部２７とされている。橋梁部２５の裏面側前端には左右の長手方向に沿って歯が露出するようにカッタ２８が配設されている。切断部２１は保持部２４において左右の側板３，４の内面に固着された前記第１及び第２の保持ブロック１５，１６間にそれぞれ挟持されている。保持部２４側縁がこのように両保持ブロック１５，１６に保持されることによって切断部２１及びカバー体１７はカバー体１７基部を中心とする回動運動が規制される。つまり上下方向に動くことなくその位置で固定されることとなる。
【００１５】
次にこのように構成されたトイレットペーパーホルダー１の作用について説明する。
まず、使用者はトイレットペーパーホルダー１の切断部２１とカバー体１７の間の窓部２７を通して延設部２０から下垂して露出されるトイレットペーパーＰの前端側を目視できる。そしてそのトイレットペーパーＰの前端側を片手でつまんで下方に引き出す。このとき、トイレットペーパーＰは扁平通路２２で若干の抵抗をもって引き出されることとなる。使用者が所定の長さのトイレットペーパーＰを引き出すと、図６に示すように、上方に持ち上げ切断部２１（橋梁部２５）前端のカッタ２８に押し当てる。このとき、トイレットペーパーＰは扁平通路２２内の抵抗に加えて延設部２０下縁で大きく上方に方向転換させられることから、延設部２０下縁における抵抗が新たに加わることとなる。そのため、トイレットペーパーＰは現状で引き出されている以上には引き出されない。そしてカッタ２８によってトイレットペーパーＰを切り取ると延設部２０下縁からカッタ２８までのトイレットペーパーＰは図３のように下垂されて残ることとなる。次に使用する場合にはこの残った部分をつまんで上記と同じ動作を行う。
【００１６】
上記のように構成することで本実施の形態のトイレットペーパーホルダー１では次のような効果を奏する。
（１）使用者は一方の手でトイレットペーパーＰを覆うカバー板を押さえる必要がないため片手でトイレットペーパーを切り取ることができる。また、本実施の形態ではその際にトイレットペーパーＰを切り取った後にペーパーＰの前端が延設部２０から下垂して残るため、次に引き出すときにこれを手がかりとなるため従来の片手操作のトイレットペーパーホルダーよりも格段に使いやすくなっている。
（２）使用者は窓２７から下垂したトイレットペーパーＰを目視できるので、このトイレットペーパーホルダー１を初めて使用する者でも使い方を誤ることは少ない。
（３）切断部２１（橋梁部２５）にはトイレットペーパーＰの全幅に完全に対応した長さのカッタ２８が配設されており、これがトイレットペーパーＰの全幅をもれなく切断することができる。そのため、一部分が切断されずに残ってトイレットペーパーＰがこの残った部分に引きずられて引き出されてしまうといった不具合が生じることがなく、一般的なトイレットペーパーホルダーと同様に上方に引き上げることでトイレットペーパーＰを切り取ることが可能なので違和感もなく使用ができる。
（４）切断部２１とカバー体１７が一体化しているため部品点数が減ってよい。また、カバー体１７の前端（つまり延設部２０）とカッタの距離が常に一定であるため切り取った後に下垂するトイレットペーパーの前端の長さに長短がでることはない。例えば、一般のトイレットペーパーホルダーのようにカバー体がトイレットペーパーの上に載せられている場合ではペーパーの使用によって径が小さくなるにつれてカバー体１７も徐々に後退してしまう。そうするとカッタとカバー体前端との距離が遠くなってトイレットペーパーの長さに長短がでてしまうこととなり、場合によってはトイレットペーパーが長く垂れ下がることとなって見苦しくなるが、上記実施の形態ではそのような不具合はない。
（５）切断部２１の左右両縁は長尺の第１及び第２の保持ブロック１５，１６間にそれぞれ線状に挟持されるため、このように両端で架設される部材であってネジ等によってしっかりと固定していなくともがたつき等の不具合が生じにくく安定する。
【００１７】
尚、この考案は、次のように変更して具体化することも可能である。
・上記実施の形態ではトイレットペーパーＰの引き出し難さを扁平通路２２内の接触抵抗と、引き出したトイレットペーパーＰを切るために上方側に持ち上げた際の延設部２０下縁における抵抗によって実現していた。
これを例えば、図７に示すように、延設部２０下縁に突起体としての複数の突起３１を形成して、トイレットペーパーＰを下方に引き下げる際にはこの突起３１にさわらず、上方に持ち上げた際に食い込ませて引き出せないようにしてもよい。
このようにしても上記（１）〜（５）の効果が奏される。
尚、この突起３１と扁平通路２２を組み合わせることも可能である。
【００１８】
突起３１の替わりに図８及び図９に示すような、ブレーキ体として抵抗の大きなゴム製の長尺の紐状体３２を延設部２０下縁に接着するようにしてもよい。
このようにしても上記（１）〜（５）の効果が奏される。
尚、この紐状体３２と扁平通路２２を組み合わせることも可能である。
紐状体３２は長尺であれば可撓性のない硬質の棒状体でも構わない。また、全縁に配置する必要性は必ずしもない。要はブレーキ体として制動がかかるのであればよい。
【００１９】
・上記実施の形態ではカバー体１７と切断部２１は一体化されていたが、別体で構成しても構わない。例えばネジ等で橋梁部を左右の側板３，４間に懸架するごとくである。
また、カバー体１７は基部側にて回動させてトイレットペーパーＰを露出させることが可能であったが、カバー体１７が回動できない固定式にしても構わない。
・本体５、カバー体１７、切断部２１等の構成部材の形状は上記に限定されるものではない。
・上記実施の形態ではカッタ２８は橋梁部２５の前縁の全域に形成していたが、切断に支障を来さない程度に一部するカッタ２８の歯のない箇所があってもよい。尚、カッタ２８の形状は変更可能である。
・背板２はなくともよく、取り付け壁面に直接左右側板を固定し、これにカバー体を取り付けるようにしてもよい。
・トイレットペーパーＰの交換方法は上記に限定されるものではない。
・その他、本体５やカバー体１７等の構成部材の材質は限定されない等、本考案の趣旨を逸脱しない態様で実施することは自由である。
【図面の簡単な説明】
【００２０】
【図１】本考案の実施の形態のトイレットペーパーホルダーの斜視図。
【図２】同じトイレットペーパーホルダーの右側板を開放した状態の斜視図。
【図３】同じトイレットペーパーホルダーの断面図。
【図４】同じトイレットペーパーホルダーの正面図。
【図５】同じ同じトイレットペーパーホルダーの右側板取り付け構造を説明する部分拡大説明図。
【図６】同じトイレットペーパーホルダーの使用状態を説明する説明図。
【図７】他のトイレットペーパーホルダーの正面図。
【図８】他のトイレットペーパーホルダーの正面図。
【図９】紐状体の一部切り欠き斜視図。
【符号の説明】
【００２１】
１…トイレットペーパーホルダー、３，４…側板、７…支持軸、１７…カバー板、２２…扁平通路、２５…橋梁部、２８…カッタ、２９…照光手段としてのフラッシュライト、１３…弾性部材としてのコイルスプリング、Ｐ…トイレットペーパー。
【図１】
0003117656.tif 000003
【図２】
0003117656.tif 000004
【図３】
0003117656.tif 000005
【図４】
0003117656.tif 000006
【図５】
0003117656.tif 000007
【図６】
0003117656.tif 000008
【図７】
0003117656.tif 000009
【図８】
0003117656.tif 000010
【図９】
0003117656.tif 000011